(57)【要約】【課題】消費電力を抑え、かつ良好な表示を行う表示装置を実現する。【解決手段】本発明の一態様に係るホスト制御部（３０）は、画像がフリッカを視認させやすい特徴を有するか否かを判定する画像判定部（３５）と、画像がフリッカを視認させやすい特徴を有すると判定された場合、第１期間では第１リフレッシュレートで該画像の表示のリフレッシュを行い、第２期間では異なる第２リフレッシュレートで該画像の表示のリフレッシュを行うことを決定する駆動変更部（３６）とを備える。【選択図】図１
2014211537.tif 000002
【特許請求の範囲】
【請求項１】
表示装置の制御装置であって、
画像がフリッカを視認させやすい特徴を有する画像であるか否かを判定する画像判定部と、
上記画像判定部において上記画像がフリッカを視認させやすい特徴を有すると判定された場合、該画像を表示する表示期間のうちの第１期間および第２期間について、上記第１期間では第１リフレッシュレートで該画像の表示のリフレッシュを行い、上記第１期間に続く上記第２期間では上記第１リフレッシュレートとは異なる第２リフレッシュレートで該画像の表示のリフレッシュを行うことを決定するリフレッシュレート決定部とを備えることを特徴とする制御装置。
【請求項２】
上記第１期間は、上記表示期間における最初の期間であり、
上記第２リフレッシュレートは、上記第１リフレッシュレートよりも高いことを特徴とする請求項１に記載の制御装置。
【請求項３】
上記リフレッシュレート決定部は、上記表示期間のうちの、上記第２期間に続く第３期間では上記第２リフレッシュレートよりも低い第３リフレッシュレートで上記画像の表示のリフレッシュすることを決定することを特徴とする請求項２に記載の制御装置。
【請求項４】
上記第１リフレッシュレートは、１５Ｈｚ以下であることを特徴とする請求項２または３に記載の制御装置。
【請求項５】
上記画像判定部において上記画像がフリッカを視認させやすい特徴を有しないと判定された場合、上記リフレッシュレート決定部は、上記第２リフレッシュレートよりも低い第４リフレッシュレートで該画像の表示のリフレッシュを行うことを決定することを特徴とする請求項２から４のいずれか一項に記載の制御装置。
【請求項６】
上記第１期間は、上記表示期間における最初の期間であり、
上記第２リフレッシュレートは、上記第１リフレッシュレートよりも低いことを特徴とする請求項１に記載の制御装置。
【請求項７】
上記リフレッシュレート決定部は、上記表示期間のうちの、上記第２期間に続く第３期間では上記第２リフレッシュレートよりも高い第３リフレッシュレートで上記画像の表示のリフレッシュを行うことを決定することを特徴とする請求項６に記載の制御装置。
【請求項８】
上記第１リフレッシュレートは、１５Ｈｚよりも高いことを特徴とする請求項６または７に記載の制御装置。
【請求項９】
上記画像判定部において上記画像がフリッカを視認させやすい特徴を有しないと判定された場合、上記リフレッシュレート決定部は、上記第１リフレッシュレートよりも低い第４リフレッシュレートで該画像の表示のリフレッシュを行うことを決定することを特徴とする請求項６から８のいずれか一項に記載の制御装置。
【請求項１０】
上記画像判定部は、上記画像の所定の領域における、中間階調の範囲内において上記フリッカを視認させやすい階調として予め定められた範囲内の階調である画素の割合が閾値以上であるか否かに応じて、上記画像がフリッカを視認させやすい特徴を有するか否かを判定することを特徴とする請求項１から９のいずれか一項に記載の制御装置。
【請求項１１】
請求項１から１０のいずれか一項に記載の制御装置を備えることを特徴とする表示装置。
【請求項１２】
表示装置の制御方法であって、
画像がフリッカを視認させやすい特徴を有する画像であるか否かを判定する画像判定ステップと、
上記画像判定ステップにて上記画像がフリッカを視認させやすい特徴を有すると判定された場合、該画像を表示する表示期間のうちの第１期間および第２期間について、上記第１期間では第１リフレッシュレートで該画像の表示のリフレッシュを行い、上記第１期間に続く上記第２期間では上記第１リフレッシュレートとは異なる第２リフレッシュレートで該画像の表示のリフレッシュを行うことを決定するリフレッシュレート決定ステップとを含むことを特徴とする制御方法。
【発明の詳細な説明】
【技術分野】
【０００１】
本発明は制御装置、表示装置および制御方法に関する。
【背景技術】
【０００２】
近年、液晶表示装置に代表される薄型、軽量、および低消費電力の表示装置が著しく普及している。こうした表示装置の典型的な搭載形態は、例えば携帯電話機、スマートフォン、ノート型ＰＣ(Personal Computer)等である。また、今後はより薄型の表示装置である電子ペーパーの開発および普及も急速に進むことが期待されている。このような状況の中、各種の表示装置において消費電力を低下させることが共通の課題となっている。
【０００３】
従来のＣＧ（Continuous Grain）シリコンＴＦＴ液晶表示パネル、またはアモルファスシリコンＴＦＴ液晶表示パネル等では、６０Ｈｚで画面リフレッシュを行う必要がある。そこで、従来の液晶表示パネルの省電力化のために、６０Ｈｚより低いリフレッシュレートを実現する試みがなされている。
【０００４】
特許文献１には、一連のフレームに渡って画像中にストライプが存在しない場合、当該フレームがフリッカを生じやすい特徴を有しないと判断し、リフレッシュレートを低下させる液晶ディスプレイが記載されている。
【先行技術文献】
【特許文献】
【０００５】
【特許文献１】特開２００９−２５１６０７号公報（２００９年１０月２９日公開）
【発明の概要】
【発明が解決しようとする課題】
【０００６】
しかしながら、ＣＧシリコンＴＦＴまたはアモルファスシリコンＴＦＴを用いた液晶表示パネルでは、表示品位を維持するためには、せいぜい５０Ｈｚまでしかリフレッシュレートを低下させることはできない。
【０００７】
近年、インジウム（Ｉｎ）、ガリウム（Ｇａ）、亜鉛（Ｚｎ）を用いた酸化物半導体によってＴＦＴを構成した酸化物半導体液晶表示パネルの開発が鋭意進められている。酸化物半導体によって構成されたＴＦＴでは、オフ状態における電流の漏れが少ない。そのため、酸化物半導体液晶表示パネルでは、従来のように６０Ｈｚで画面リフレッシュを行う必要がなく、リフレッシュレートを１Ｈｚ程度にまで低減させることができる。それゆえ、消費電力を低減することができる。
【０００８】
しかしながら、液晶の応答速度が遅い場合、画素容量が均一でない等の理由により、低リフレッシュレートで表示装置の駆動を行うと、フリッカが視認されやすくなるという問題が生じる場合がある。液晶の応答速度が遅い場合、リフレッシュされない期間に渡って液晶の配向状態が変化するので、階調の変化が視認されやすい。また、オフ状態のＴＦＴを介して画素から電荷が漏れるので、画素容量が均一でない場合、画素毎に画素電位の変化が異なってしまう。
【０００９】
特許文献１はリフレッシュレート設定に関する技術を開示しているが、この技術では、消費電力の低減とフリッカの抑制とを十分に両立させることができない。
【００１０】
本発明の一態様によれば、消費電力を抑え、かつ良好な表示を行う表示装置を実現することができる。
【課題を解決するための手段】
【００１１】
本発明の一態様に係る制御装置は、表示装置の制御装置であって、画像がフリッカを視認させやすい特徴を有する画像であるか否かを判定する画像判定部と、上記画像判定部において上記画像がフリッカを視認させやすい特徴を有すると判定された場合、該画像を表示する表示期間のうちの第１期間および第２期間について、上記第１期間では第１リフレッシュレートで該画像の表示のリフレッシュを行い、上記第１期間に続く上記第２期間では上記第１リフレッシュレートとは異なる第２リフレッシュレートで該画像の表示のリフレッシュを行うことを決定するリフレッシュレート決定部とを備えることを特徴としている。
【００１２】
本発明の一態様に係る制御方法は、表示装置の制御方法であって、画像がフリッカを視認させやすい特徴を有する画像であるか否かを判定する画像判定ステップと、上記画像判定ステップにて上記画像がフリッカを視認させやすい特徴を有すると判定された場合、該画像を表示する表示期間のうちの第１期間および第２期間について、上記第１期間では第１リフレッシュレートで該画像の表示のリフレッシュを行い、上記第１期間に続く上記第２期間では上記第１リフレッシュレートとは異なる第２リフレッシュレートで該画像の表示のリフレッシュを行うことを決定するリフレッシュレート決定ステップとを含むことを特徴としている。
【発明の効果】
【００１３】
本発明の一態様によれば、フリッカの視認の防止と消費電力の低減とを効率的に両立することができる。それゆえ、消費電力を抑え、かつ、良好な表示を行う表示装置を実現することができる。
【図面の簡単な説明】
【００１４】
【図１】本発明の一実施形態に係る表示装置の構成を示すブロック図である。
【図２】酸化物半導体液晶表示パネルを１Ｈｚのリフレッシュレートで駆動した時の、各階調のフリッカ率を示すグラフである。
【図３】上記表示装置において静止画を表示するときのタイミングチャートである。
【図４】表示装置１において画像Ａの後に別の画像Ｂを表示するときのタイミングチャートである。
【図５】上記表示装置のホスト制御部がリフレッシュレートを決定するフローチャートを示す図である。
【図６】本発明の他の実施形態において静止画像Ａを表示するときのタイミングチャートである。
【図７】本発明のさらに他の実施形態において静止画像Ａを表示するときのタイミングチャートである。
【図８】本発明のさらに他の実施形態に係る表示装置の構成を示すブロック図である。
【図９】上記表示装置において静止画像Ａを表示するときのタイミングチャートである。
【図１０】上記表示装置の画面を示す図である。
【図１１】上記表示装置の画面を示す図である。
【図１２】（ａ）は、所定のパターンを示す図であり、（ｂ）および（ｃ）は、画像の各画素の階調を表す階調マップを示す図である。
【図１３】本発明のさらに他の実施形態に係る表示装置の構成を示すブロック図である。
【発明を実施するための形態】
【００１５】
〔実施形態１〕
図２は、酸化物半導体液晶表示パネルを１Ｈｚのリフレッシュレートで駆動した時の、各階調のフリッカ率を示すグラフである。フリッカ率は、フリッカの視認されやすさを表し、その値が大きいほどフリッカが視認されやすい。例えば、フリッカ率１．５％がフリッカが視認されやすいか否かの１つの基準になる。低リフレッシュレートで駆動した場合に、フリッカが生じやすいか否かは、表示する画像の階調に依存する。図２では、最小の階調（黒）が０、最大の階調（白）が２５５である。なお、フリッカの視認されやすさは、画面の大きさおよび製造工程によっても異なる。パネル１はパネル２に比べて大型の液晶表示パネルである。パネル１とパネル２とは製造工程も異なる。
【００１６】
中間階調では液晶の応答速度が比較的遅い。また、中間階調では、ＴＦＴを介した電荷の漏れによる階調の変化（液晶分子の配向の変化）が生じやすい。ここで、中間階調とは、飽和階調（最小の階調および最大の階調）を除いた階調のことである。例えば最小の階調を０、最大の階調を２５５としたときは、階調１から階調２５４の範囲が中間階調である。ノーマリブラックの場合、中間階調の中でも、例えば階調１０から階調２００の範囲でフリッカがより視認されやすい。さらに、階調２０から階調８０の範囲でフリッカがより視認されやすく、特に階調４０から階調６０の範囲でフリッカが視認されやすい。例えば、上記の範囲の階調の画素が多く含まれる画像を、１Ｈｚのリフレッシュレートで表示した場合、１秒毎に画面がリフレッシュされるので、ユーザは１秒毎にフリッカを視認する可能性がある。このような画像を１５Ｈｚ〜６０Ｈｚのリフレッシュレートで表示すればフリッカの視認を防止することができるが、そうすると消費電力を十分に低減することができなくなる。
【００１７】
そこで、本実施形態では、画像に所定の範囲の階調の画素が多く含まれる場合、すなわち画像がフリッカを視認させやすい特徴を有する画像（フリッカ画像）である場合、リフレッシュレートを段階的に変化させる。これにより、消費電力の低減とフリッカの抑制とを両立させる。なお、上記所定の範囲の階調（フリッカ階調）は、中間階調の範囲内においてフリッカが生じ易い階調として予め定められる。
【００１８】
（表示装置１の構成）
図１は、本発明に係る一実施形態の表示装置の構成を示すブロック図である。表示装置１は、表示部１０と、表示駆動部２０と、ホスト制御部３０（制御装置）とを備えている。
【００１９】
表示部１０は画面を備えており、例えば、アクティブマトリクス型液晶表示パネルとしての酸化物半導体液晶表示パネルによって構成されている。酸化物半導体液晶表示パネルとは、二次元的に配列された複数の画素の少なくとも１つ毎に対応して設けられたスイッチング素子に、前述した酸化物半導体−ＴＦＴを採用した液晶表示パネルである。酸化物半導体−ＴＦＴは、半導体層に酸化物半導体が用いられたＴＦＴである。酸化物半導体としては、例えば、インジウム・ガリウム・亜鉛の酸化物を用いた酸化物半導体（Ｉｎ−Ｇａ−Ｚｎ−Ｏ）がある。酸化物半導体−ＴＦＴは、オン状態において流れる電流が大きく、オフ状態におけるリーク電流が小さい。そのため、スイッチング素子に、酸化物半導体−ＴＦＴを採用したことにより、画素開口率を向上させることができる上に、画面表示のリフレッシュレートを１Ｈｚ程度にまで低減させることができる。リフレッシュレートの低減は、省電力効果をもたらす。なお、画素開口率の向上は、表示を明るくする効果、または表示の明るさをＣＧシリコン液晶表示パネルなどと同じにする場合には、バックライトの光量を下げることによる省電力効果をもたらす。
【００２０】
（ホスト制御部３０の構成）
ホスト制御部３０は、画面更新検知部３１（更新検知部）、ＣＰＵ３２、ホストメモリ３３、ホストＴＧ３４（ホストタイミングジェネレータ）、画像判定部３５、および駆動変更部３６（リフレッシュレート決定部）を備えている。ホスト制御部３０は、例えば基板上に形成された制御回路で構成される。
【００２１】
上記画面更新検知部３１は、表示部１０の画面の表示内容を更新する必要があるかどうかを検知する。例えば、表示装置１内で起動され実行中のアプリケーションが、表示内容の更新を画面更新検知部３１に通知してきた場合、表示装置１のユーザが入力部を介して表示内容の更新を画面更新検知部３１に通知してきた場合、インターネットを介したデータストリーミングまたは放送波などによる表示内容の更新が画面更新検知部３１に通知された場合などに、画面更新検知部３１は、ＣＰＵ３２に画面の表示内容（画像）を更新する必要があることを知らせる。
【００２２】
ここでは、画面更新検知部３１に入力される表示データは、表示内容が更新されるフレームの画像と、該画像データを表示するタイミングを示す表示更新フラグ（タイムリファレンス）とを含む。複数フレームに渡って画像の内容が変化しない場合、変化しない間のフレームのデータは、表示データには含まれない。画面更新検知部３１は、表示更新フラグに基づいて、表示内容の更新の必要性を検知することができる。画面更新検知部３１は、表示更新フラグと表示データとをＣＰＵ３２に出力する。
【００２３】
なお、画面更新検知部３１に入力された表示データに、表示更新フラグが含まれておらず、全てのフレームのデータが含まれている場合、画面更新検知部３１は、前のフレームの画像と後のフレームの画像とを比較することにより、画像の内容が変化したか否かを判断することができる。画面更新検知部３１は、この比較結果より、表示内容の更新の必要性を検知することができる。
【００２４】
ＣＰＵ３２は、１画面分の表示データを画面更新検知部３１から取得し、ホストメモリ３３に表示データを書き込む。また、ＣＰＵ３２は、画像判定部３５に表示データを出力する。ＣＰＵ３２は、更新フラグをホストＴＧ３４に出力する。
【００２５】
ホストメモリ３３は、ＶＲＡＭ（Video Random Access Memory）等で構成される記憶装置である。
【００２６】
ホストＴＧ３４は、ＣＰＵ３２から更新フラグを受け取ると、ホストメモリ３３から表示データを取得し、表示駆動部２０に表示データを転送する。ホストＴＧ３４は、表示の更新が必要な時のみ、更新されるフレーム画像の表示データを表示駆動部２０に転送する。表示データの転送は、例えばＭＩＰＩ（ミピ：Mobile Industry Processor Interface）等のモバイル機器のデータ通信仕様に従って行われる。なお、ホストＴＧ３４は、表示データと共に同期信号を表示駆動部２０に転送する。
【００２７】
画像判定部３５は、表示データが示す画像が、フリッカを視認させやすい特徴を有する画像（フリッカ画像）であるか否かを判定する。具体的には、画像判定部３５は、画像中の各画素について、階調２０から階調８０の範囲（第１範囲）の階調であるか否かを判定する。画像判定部３５は、画像の所定の領域における第１範囲の階調である画素の割合を求める。具体的には、画像判定部３５は、例えば１０階調刻みで複数の画素を分類したヒストグラムを生成し、ヒストグラムから第１範囲の階調である画素の割合を求める。ここでは上記所定の領域は画像の全体であるが、上記所定の領域は画像の一部の領域であってもよい。画像判定部３５は、第１範囲の階調である画素の割合が３０％（第１閾値）以上であるか否かを判定する。画像判定部３５は、上記割合が３０％以上である場合、その画像がフリッカを視認させやすい特徴を有すると判定し、上記割合が３０％未満である場合、その画像がフリッカを視認させやすい特徴を有しないと判定する。画像判定部３５は、第１範囲の階調である画素の割合が第１閾値以上であるか否か（画像がフリッカを視認させやすい特徴を有するか否か）の判定結果を、駆動変更部３６に出力する。なお、第１範囲および第１閾値等の値は、一例であり、他の値であってもよい。
【００２８】
駆動変更部３６は、画像判定部３５の判定結果に基づいて、表示部１０のリフレッシュレートを決定する。画像において第１範囲の階調である画素の割合が第１閾値未満である場合、駆動変更部３６は、該画像を表示する表示期間全体に渡って第１リフレッシュレート（１Ｈｚ）で表示を行うことを決定する。画像において第１範囲の階調である画素の割合が第１閾値以上である場合、駆動変更部３６は、該画像を表示する表示期間において、複数のリフレッシュレートを切り替えて表示を行うことを決定する。具体的には、駆動変更部３６は、該画像を表示する表示期間のうち、最初の所定の期間（第１期間）では第１リフレッシュレート（１Ｈｚ）で表示を行い、第１期間に続く所定の期間（第２期間）では第２リフレッシュレート（３０Ｈｚ）で表示を行い、第２期間に続く所定の期間（第３期間）では第３リフレッシュレート（１Ｈｚ）で表示を行うことを決定する。第２期間においては、第１期間および第３期間より高いリフレッシュレートで該画像の表示が行われる。ここでは第１期間のリフレッシュレートと第３期間のリフレッシュレートとは同じであるが、異なっていてもよい。駆動変更部３６は、決定されたリフレッシュレートで表示部１０が駆動されるよう、第１期間、第２期間、および第３期間の開始に合わせて表示駆動部２０にリフレッシュレートを指示する。
【００２９】
（表示駆動部２０の構成）
表示駆動部２０は、例えば、表示部１０のガラス基板にＣＯＧ（Chip on Glass）実装された、いわゆるＣＯＧドライバであり、上記画面に、表示データに基づく表示を行わせるように、表示部１０を駆動する。表示駆動部２０は、メモリ２１、ＴＧ２２（タイミングジェネレータ）、およびソースドライバ２３を備える。
【００３０】
メモリ２１は、ホスト制御部３０から転送された表示データを記憶する。メモリ２１は、次に表示の更新が行われるまで（すなわち画像の内容が変化しない限り）、表示データを保持し続ける。
【００３１】
ＴＧ２２は、ホスト制御部３０から指示されたリフレッシュレートに基づいて、メモリ２１から表示データを読み出し、表示データをソースドライバ２３に出力する。また、ＴＧ２２は、リフレッシュレートに関係なく、画像の内容が変化したとき（すなわちホスト制御部３０から表示駆動部２０に表示データが転送されたとき）、メモリ２１から表示データを読み出し、表示データをソースドライバ２３に出力する。表示装置１は、例えば動画の更新レートに応じて最大６０Ｈｚで画面の書き換えを行うことが可能である。また、ＴＧ２２は、指示されたリフレッシュレートで表示部１０を駆動するためのタイミング信号を生成し、ソースドライバ２３に供給する。なお、ＴＧ２２は、タイミング信号を生成するためにホストＴＧから入力される同期信号を利用してもよい。
【００３２】
ソースドライバ２３は、タイミング信号に従って、表示部１０の画素に、表示データに対応した表示電圧を書き込む。
【００３３】
なお、表示装置１の好適な例として、例えば、携帯電話機、スマートフォン、ノート型ＰＣ、タブレット端末、電子書籍リーダー、またはＰＤＡ等、特に携行性を重視する表示装置を挙げることができる。
【００３４】
（表示駆動方法）
図３は、表示装置１において静止画を表示するときのタイミングチャートである。図３は、静止画像Ａが表示される場合を示す。画像Ａは、第１範囲（階調２０〜階調８０）の階調の画素の割合が第１閾値（３０％）以上であり、フリッカを視認させやすい特徴を有するフリッカ画像である。
【００３５】
図３の（ａ）に示すように、画像の内容が変化したときのみ、ホスト制御部３０から表示駆動部２０に１画面分の表示データ（画像Ａ）が転送される。画像Ａの表示データが転送された後、次にホスト制御部３０から表示駆動部２０に表示データが転送されるのは、表示内容が別の画像に更新されるときである。
【００３６】
表示駆動部２０は、受け取った表示データ（画像Ａ）をメモリ２１に格納すると共に、図３の（ｂ）のドライバ内部垂直同期信号に同期したタイミングで、表示部１０の表示を画像Ａに更新する（図３の（ｃ））。ドライバ内部垂直同期信号は、表示データを受け取ったタイミングおよび指定されたリフレッシュレートに応じて、ＴＧ２２が生成する。なお、表示駆動部２０が表示データを受け取ってから表示するまでの遅延時間は、ここでは省略している。点線のパルスは、そこでは垂直同期信号が生成されていないことを示す。
【００３７】
その後、画像Ａを表示する表示期間のうち、最初の第１期間Ｐ１では、画像Ａの表示のリフレッシュは、１秒毎に（１Ｈｚで）行われる。表示駆動部２０において、１秒毎に、ＴＧ２２がメモリ２１から表示データ（画像Ａ）を読み出し、ソースドライバ２３が表示データを表示部１０に供給する。画像Ａを表示する表示期間のうち、第１期間Ｐ１に続く第２期間Ｐ２では、画像Ａの表示のリフレッシュは、１／３０秒毎に（３０Ｈｚで）行われる。画像Ａを表示する表示期間のうち、第２期間Ｐ２に続く第３期間Ｐ３では、画像Ａの表示のリフレッシュは、１秒毎に（１Ｈｚで）行われる。例えば、第１期間Ｐ１は、画像Ａの表示を開始してから２〜３秒間であり、第２期間Ｐ２は、第１期間Ｐ１の後の７〜８秒間であり、第３期間Ｐ３は第２期間の後から別の画像に書き換えられるまでである。
【００３８】
図４は、表示装置１において画像Ａの後に別の画像Ｂを表示するときのタイミングチャートである。画像Ｂは、第１範囲の階調の画素の割合が第１閾値よりも小さく、フリッカを視認させやすい特徴を有しない画像である。表示駆動部２０は、別の画像Ｂを示す表示データを受け取ると、リフレッシュレートに関係なく、表示部１０の表示を別の画像Ｂに更新する。その後、画像Ｂの表示のリフレッシュは、画像Ｂの表示期間全体に渡って低リフレッシュレート（１Ｈｚ）で行われる。このように、フリッカを視認させやすい特徴を有しない画像は、第２期間の第２リフレッシュレート（３０Ｈｚ）より低い第４リフレッシュレート（１Ｈｚ）で表示のリフレッシュが行われる。
【００３９】
なお、第１期間Ｐ１および第２期間Ｐ２のそれぞれの長さは、想定される使用方法に応じて任意に設定することができる。
【００４０】
（リフレッシュレート決定フロー１）
図５は、ホスト制御部３０がリフレッシュレートを決定するフローチャートを示す図である。画面更新検知部３１が表示の更新（画像の内容の変化）を検知する毎に、図５のフローが実行される。
【００４１】
画像判定部３５は、画像全体における第１範囲（階調２０から階調８０の範囲）の階調である画素の割合を求める。そして、画像判定部３５は、第１範囲の階調である画素の割合が第１閾値（３０％）以上であるか否かを判定する（Ｓ１）。
【００４２】
第１範囲の階調である画素の割合が第１閾値（３０％）未満である場合（Ｓ１でＮｏ）、駆動変更部３６は、該画像の表示期間においてリフレッシュレートを１Ｈｚに固定する（Ｓ２）。
【００４３】
第１範囲の階調である画素の割合が第１閾値（３０％）以上である場合（Ｓ１でＹｅｓ）、駆動変更部３６は、該画像の表示期間においてリフレッシュレートを変動させる（Ｓ３）。
【００４４】
（表示装置１の効果）
本実施形態の表示装置１によれば、フリッカが視認されやすいフリッカ画像を表示する場合に、フリッカ画像を表示する表示期間において、リフレッシュレートを変動させてフリッカ画像の表示を行う。フリッカ画像が表示されてからユーザがフリッカを視認できるようになる迄に、ある程度の時間が必要になる。表示装置１は、ユーザがフリッカを視認できない最初の第１期間Ｐ１（例えば２〜３秒間）では、低リフレッシュレート（例えば１５Ｈｚ以下）でフリッカ画像のリフレッシュを行う。その後の第２期間Ｐ２では、表示装置１は、フリッカが視認されないよう、高リフレッシュレート（例えば１５Ｈｚより高い）でフリッカ画像のリフレッシュを行う。また、画像が変化してからある程度（例えば１０秒間）経過すると、大抵のユーザは表示を集中して見なくなる。そのため、第３期間Ｐ３（画像が変化してから１０秒経過以降の期間）では、消費電力を低減するために、低リフレッシュレート（例えば１５Ｈｚ以下）でフリッカ画像のリフレッシュを行う。このように、表示装置１は、フリッカ画像を表示する場合に人間の視覚特性に合わせてリフレッシュレートを変動させる。これにより、表示装置１は、フリッカの視認の防止と消費電力の低減とを効率的に両立することができる。それゆえ、表示装置１は、表示品位を高く保ちつつ消費電力を低減することができる。
【００４５】
また、表示装置１は、画像がフリッカを視認させやすい特徴を有しない場合、リフレッシュレートを低リフレッシュレート（例えば１５Ｈｚ以下）に固定する。これによりさらに消費電力を低減することができる。
【００４６】
表示装置１では、画像が変化しない期間では、リフレッシュ動作は表示駆動部２０が行い、ホスト制御部３０は表示駆動部２０に画像を転送する必要がない。第１期間の終わりおよび第２期間の終わりに、ホスト制御部３０は、リフレッシュレートの変更を表示駆動部２０に指示すればよい。そのため、少なくとも第３期間Ｐ３においてホスト制御部３０の動作を休止させることができる。ホスト制御部３０が休止することによる省電力効果は、非常に大きい。
【００４７】
（変形例）
なお１つの絵素にはＲＧＢの画素が含まれる。上記の例では、画像判定部３５は、画素の色（ＲＧＢ）に関係なく、画像における第１範囲の階調である画素の割合を判定する。
【００４８】
一方で、画像判定部３５は、ＲＧＢ毎に第１範囲の階調である画素の割合を求め、該割合に色毎に重みづけをしてもよい。この場合、画像判定部３５は、該割合に色毎に重みづけをした合計値が所定の閾値以上であるか否かを判定する。一般的に、人間のＲＧＢの認識度の強さは、Ｒ：Ｇ：Ｂ＝３：６：１であると言われる。すなわち、人間はＧ（緑）画素を強く認識するので、Ｇ画素に第１範囲の階調が多いと、フリッカが視認されやすい。それゆえ、画像判定部３５は、画像の所定の領域において、Ｒ（赤）画素のうち第１範囲の階調であるＲ画素の割合Ｒｒと、Ｇ画素のうち第１範囲の階調であるＧ画素の割合Ｒｇと、Ｂ画素のうち第１範囲の階調であるＢ画素の割合Ｒｂとを求める。画像判定部３５は、重みづけをした合計値として（３×Ｒｒ）＋（６×Ｒｇ）＋（１×Ｒｂ）を求める。画像判定部３５は、この合計値が所定の閾値（例えば、（３＋６＋１）×３０［％］）以上であれば、その画像がフリッカが視認されやすい画像であると判定することができる。
【００４９】
画像判定部３５は、ＲＧＢの階調から求めた絵素の輝度Ｙに基づいて、その画像がフリッカを視認させやすい特徴を有する画像であるか否か判定してもよい。画像判定部３５は、各絵素について、例えば輝度Ｙ＝Ｒ階調×0.29891＋Ｇ階調×0.58661＋Ｂ階調×0.11448として、輝度Ｙを求める。画像判定部３５は、絵素の輝度Ｙが所定の範囲（例えば２０〜８０）の中にあれば、その絵素に含まれる複数の画素は第１範囲の階調であると判定してもよい。すなわち、輝度Ｙが所定の範囲内にある絵素の割合が第１閾値（３０％）以上であれば、フリッカの視認を防止するために、リフレッシュレートを所定の方法で変動させることによって表示が行われる。この場合、画像判定部３５は、各絵素の輝度Ｙについてのヒストグラムを記憶すればよいので、各画素の階調についてのヒストグラムを記憶する場合に比べて記憶容量が１／３程度で済む。
【００５０】
〔実施形態２〕
本発明の他の実施形態について、以下に説明する。なお、説明の便宜上、上述の実施形態にて説明した部材と同じ機能を有する部材については、同じ符号を付記し、その説明を省略する。また、本実施形態では、リフレッシュレートの変動方法が上述の実施形態と異なる。
【００５１】
図６は、本実施形態において静止画像Ａを表示するときのタイミングチャートである。画像Ａは、フリッカを視認させやすい特徴を有するフリッカ画像である。
【００５２】
画像Ａの表示開始後、最初の第１期間Ｐ１では、画像Ａの表示のリフレッシュは、１秒毎に（１Ｈｚで）行われる。画像Ａを表示する表示期間のうち、第１期間Ｐ１に続く第２期間Ｐ２では、画像Ａの表示のリフレッシュは、１／３０秒毎に（３０Ｈｚで）行われる。例えば、第１期間Ｐ１は、画像Ａの表示を開始してから５秒間であり、第２期間Ｐ２は、第１期間Ｐ１の後から別の画像に書き換えられるまでである。なお、第１期間Ｐ１の長さは、想定される使用方法に応じて任意に設定することができる。
【００５３】
本実施形態では、表示装置１は、ユーザがフリッカを視認できない最初の第１期間Ｐ１（開始から５秒間）では、低リフレッシュレート（例えば１５Ｈｚ以下）でフリッカ画像のリフレッシュを行う。第１期間の後（第２期間Ｐ２）では、表示装置１は、フリッカが視認されないよう、高リフレッシュレート（例えば１５Ｈｚより高い）で表示部１０を駆動し続ける。そのため、本実施形態の表示装置１は、ユーザが画像Ａを長時間集中して閲覧している場合でも、ユーザがフリッカを視認することを防止することができる。
【００５４】
また、画像が変化してから所定の期間（第１期間）では低リフレッシュレートで画像のリフレッシュが行われる。そのため、本実施形態の表示装置１は、消費電力を低減することもできる。
【００５５】
〔実施形態３〕
本発明のさらに他の実施形態について、以下に説明する。なお、説明の便宜上、上述の実施形態にて説明した部材と同じ機能を有する部材については、同じ符号を付記し、その説明を省略する。
【００５６】
図７は、本実施形態において静止画像Ａを表示するときのタイミングチャートである。画像Ａは、フリッカを視認させやすい特徴を有するフリッカ画像である。
【００５７】
画像Ａの表示開始後、最初の第１期間Ｐ１では、画像Ａの表示のリフレッシュは、１／３０秒毎に（３０Ｈｚで）行われる。画像Ａを表示する表示期間のうち、第１期間Ｐ１の後の期間（第２期間Ｐ２）では、画像Ａの表示のリフレッシュは、１秒毎に（１Ｈｚで）行われる。例えば、第１期間Ｐ１は、画像Ａの表示を開始してから５秒以下であり、第２期間Ｐ２は、第１期間Ｐ１の後から別の画像に書き換えられるまでである。なお、第１期間Ｐ１の長さは、想定される使用方法に応じて任意に設定することができる。
【００５８】
本実施形態では、表示装置１は、ユーザが集中して画像を閲覧する最初の第１期間Ｐ１（例えば５秒間）では、高リフレッシュレート（例えば１５Ｈｚより高い）でフリッカ画像のリフレッシュを行う。第１期間の後（第２期間Ｐ２）では、表示装置１は、消費電力を低減するため、低リフレッシュレート（例えば１５Ｈｚ以下）でフリッカ画像のリフレッシュを行う。そのため、本実施形態の表示装置１は、画像Ａの表示が開始された初期の期間においても、ユーザがフリッカを視認することを防止することができる。
【００５９】
また、画像が変化してから所定の期間経過後（第２期間）では低リフレッシュレートで画像のリフレッシュが行われる。そのため、本実施形態の表示装置１は、消費電力を低減することもできる。
【００６０】
〔実施形態４〕
本発明のさらに他の実施形態について、以下に説明する。なお、説明の便宜上、上述の実施形態にて説明した部材と同じ機能を有する部材については、同じ符号を付記し、その説明を省略する。本実施形態では、画像判定部および駆動変更部が、ホスト制御部以外の基板に設けられている。また、本実施形態では、リフレッシュレートの変動方法が上述の実施形態と異なる。
【００６１】
（表示装置２の構成）
図８は、本実施形態の表示装置の構成を示すブロック図である。表示装置２は、表示部１０と、表示駆動部４０と、表示制御部５０（制御装置）と、ホスト制御部６０とを備える。
【００６２】
実施形態１と同様に、表示駆動部４０は、表示部１０のガラス基板にＣＯＧ実装された、ＣＯＧドライバであり、表示部１０の駆動を行う。ホスト制御部６０は、基板上に形成された制御回路で構成される制御基板であり、表示装置２のホスト側の制御を主に担う。表示制御部５０は、表示する画像に対する画像処理等のために、ホスト制御部６０とは別に設けられる制御基板である。本実施形態では、リフレッシュレートの決定を、表示制御部５０で行う。これにより、ホスト制御部６０の負荷を減らし、ホスト制御部６０に表示以外の別の処理を行わせるための処理能力を確保することができる。また、画像の変化がない期間においてホスト制御部６０を休止させ、消費電力の低減を図ることができる。
【００６３】
（ホスト制御部６０の構成）
ホスト制御部６０は、画面更新検知部６１、ＣＰＵ６２、ホストメモリ３３、およびホストＴＧ３４を備える。
【００６４】
画面更新検知部６１は、実施形態１の画面更新検知部３１と同様の処理を行う。
【００６５】
ＣＰＵ６２は、画像判定部に表示データを出力しない点を除き、実施形態１のＣＰＵ３２と同様の処理を行う。
【００６６】
ホストＴＧ３４は、表示の更新が必要な時のみ、更新される画像の表示データを表示制御部５０に転送する。
【００６７】
（表示制御部５０の構成）
表示制御部５０は、画像処理部５１、画像判定部５２、駆動変更部５３、メモリ２１、およびＴＧ２２を備える。
【００６８】
画像処理部５１は、ホスト制御部６０から受け取った表示データに対して、色彩調整等の画像処理を行う。画像処理部５１は、画像処理された表示データをメモリ２１に書き込む。
【００６９】
メモリ２１が格納する表示データが更新されると、画像判定部５２は、メモリ２１から表示データを取得する。画像判定部５２は、表示データが示す画像が、フリッカ画像であるか否かを判定する。画像判定部５２の判定処理は、上述の実施形態で説明した通りである。画像判定部５２は、判定結果を駆動変更部５３に出力する。
【００７０】
駆動変更部５３は、画像判定部５２の判定結果に基づいてリフレッシュレートを決定し、決定されたリフレッシュレートで表示部１０が駆動されるよう、ＴＧ２２にリフレッシュレートを指示する。駆動変更部５３は、画像がフリッカを視認させやすいフリッカ画像ではない場合、該画像の表示期間全体に渡って、リフレッシュレートを低リフレッシュレートに設定する。駆動変更部５３は、画像がフリッカ画像である場合、該画像の表示期間において、リフレッシュレートを変動させる。
【００７１】
ＴＧ２２は、駆動変更部５３から指示されたリフレッシュレートに基づいて、メモリ２１から表示データを読み出し、表示データを表示駆動部４０のソースドライバ２３に転送する。なお、ＴＧ２２は、画像の更新の有無に関わらず、リフレッシュレートに合わせて表示データを表示駆動部４０に転送する。
【００７２】
表示駆動部４０は、ソースドライバ２３を備える。ソースドライバ２３の構成は実施形態１と同様である。
【００７３】
（表示駆動方法）
図９は、表示装置２において静止画像Ａを表示するときのタイミングチャートである。画像Ａは、フリッカを視認させやすい特徴を有するフリッカ画像である。
【００７４】
図９の（ａ）に示すように、画像の内容が変化したときのみ、ホスト制御部６０から表示制御部５０に１画面分の表示データ（画像Ａ）が転送される。画像Ａの表示データが転送された後、次にホスト制御部６０から表示制御部５０に表示データが転送されるのは、表示内容が別の画像に更新されるときである。
【００７５】
表示制御部５０は、受け取った表示データ（画像Ａ）をメモリ２１に格納すると共に、決定されたリフレッシュレートに応じたタイミングで、表示駆動部４０に表示データを出力する。表示駆動部４０は、受け取った表示データにしたがって表示部１０の表示を画像Ａに更新する（図９の（ｃ））。
【００７６】
その後、画像Ａを表示する表示期間のうち、最初の第１期間Ｐ１では、画像Ａの表示のリフレッシュは、１／３０秒毎に（３０Ｈｚで）行われる。表示制御部５０において１／３０秒毎にＴＧ２２がメモリ２１から表示データ（画像Ａ）を読み出し、ソースドライバ２３が表示データを表示部１０に供給する。画像Ａを表示する表示期間のうち、第１期間Ｐ１に続く第２期間Ｐ２では、画像Ａの表示のリフレッシュは、１秒毎に（１Ｈｚで）行われる。画像Ａを表示する表示期間のうち、第２期間Ｐ２に続く第３期間Ｐ３では、画像Ａの表示のリフレッシュは、１／３０秒毎に（３０Ｈｚで）行われる。例えば、第１期間Ｐ１は、画像Ａの表示を開始してから２〜３秒間であり、第２期間Ｐ２は、第１期間Ｐ１の後の７〜８秒間であり、第３期間Ｐ３は第２期間の後から別の画像に書き換えられるまでである。
【００７７】
なお、第１期間Ｐ１および第２期間Ｐ２のそれぞれの長さは、想定される使用方法に応じて任意に設定することができる。
【００７８】
（表示装置２の効果）
本実施形態の表示装置２によれば、フリッカが視認されやすいフリッカ画像を表示する場合に、フリッカ画像を表示する表示期間において、リフレッシュレートを変動させてフリッカ画像の表示を行う。ユーザは、画像が変化してから初期の期間に特に集中して画像を見る傾向にある。そのため、最初の第１期間Ｐ１では、フリッカが視認されないよう、高リフレッシュレート（例えば１５Ｈｚより高い）でフリッカ画像のリフレッシュを行う。その後の第２期間Ｐ２では、消費電力を低減するために、低リフレッシュレート（例えば１５Ｈｚ以下）でフリッカ画像のリフレッシュを行う。しかしながら、長期間集中して画像を見つめるとユーザはフリッカを感じることがある。そのため、第３期間Ｐ３では、フリッカの視認を防止するために、高リフレッシュレートでフリッカ画像のリフレッシュを行う。ここでは、第２期間Ｐ２のリフレッシュレートは、第１期間Ｐ１および第３期間Ｐ３のリフレッシュレートよりも低い。第１期間Ｐ１のリフレッシュレートと第３期間Ｐ３のリフレッシュレートとは同じであっても、異なっていてもよい。
【００７９】
このように、表示装置２は、フリッカ画像を表示する場合に人間の視覚特性に合わせてリフレッシュレートを変動させる。これにより、表示装置１は、フリッカの視認の防止と消費電力の低減とを効率的に両立することができる。それゆえ、表示装置１は、表示品位を高く保ちつつ消費電力を低減することができる。
【００８０】
また、表示装置１は、画像がフリッカを視認させやすい特徴を有しない場合、リフレッシュレートを低リフレッシュレート（例えば１５Ｈｚ以下）に固定する。これによりさらに消費電力を低減することができる。
【００８１】
〔実施形態５〕
本発明のさらに他の実施形態について、以下に説明する。なお、説明の便宜上、上述の実施形態にて説明した部材と同じ機能を有する部材については、同じ符号を付記し、その説明を省略する。本実施形態では、表示装置のブロック構成は実施形態１または４と同じである。ここで説明する画像判定方法は、上述の実施形態のいずれにも適用可能である。
【００８２】
（画像判定方法１）
実施形態１では画像全体における所定の範囲の階調である画素の割合を求めたが、画像の一部の領域において所定の範囲の階調である画素の割合を求めてもよい。
【００８３】
図１０の（ａ）（ｂ）は、異なる表示装置の画面を示す図である。画素の容量の均一性は、製造工程に依存する。そのため、表示装置の画面において、画素の容量が均一でない領域は、一定の箇所に偏ることが多い。例えば、図１０の（ａ）に示す表示装置の例では、画面１１ａの中央に画素の容量が均一でない領域１２が分布している。また、図１０の（ｂ）に示す表示装置の例では、画面１１ｂの下部に画素の容量が均一でない領域１２が分布している。すなわち、画面全体に同じ階調の画像を表示した場合であっても、図１０の（ａ）では画面１１ａの中央においてフリッカが視認されやすく、図１０の（ｂ）では画面１１ｂの下部においてフリッカが視認されやすい。
【００８４】
そこで、画素の容量が均一でない領域１２に対応する画像の領域に、フリッカを生じやすい階調の画素が分布しているか否かを判定すれば、その画像がフリッカを生じやすい画像であるか否かを判別することができる。
【００８５】
図１０の（ａ）の表示装置では、画像判定部（領域指定部）３５・５２は、画像における中央の一部の領域を所定の解析領域１３として指定する。図１０の（ｂ）の表示装置では、画像判定部は、画像における下部の一部の領域を所定の解析領域１３とする。解析領域１３は、画素の容量が均一でない領域１２に対応する領域を含む。そして、画像判定部は、解析領域１３における第１範囲（例えば階調２０から８０の範囲）の階調である画素の割合が、第１閾値（例えば３０％）以上であるか否かを判定する。
【００８６】
このように、画面のフリッカが生じやすい領域に対応する画像の一部の領域のみにおいて、中間階調の画素の割合を判定することにより、画素の階調を判定する処理を低減することができる。また、ヒストグラムのための記憶容量も低減することができる。
【００８７】
また、画像の解析領域１３においてフリッカが生じやすい（第１範囲の階調の画素の割合が第１閾値以上である）と判定された場合、画面１１ａ、１１ｂの全体ではなく、画面１１ａ、１１ｂの一部の領域１４のみのリフレッシュレートを変動させてもよい。アクティブマトリクス型表示装置では、画素への書き込みは走査信号線毎に行われるので、表示装置は、解析領域１３に対応する複数の走査信号線を含む領域１４のみをリフレッシュすることができる。表示装置は、領域１４について、複数の期間毎に異なるリフレッシュレート（例えば、低→高→低）で表示のリフレッシュを行い、領域１４ではない他の領域については、表示期間全体に渡って低リフレッシュレートで表示のリフレッシュを行うことができる。
【００８８】
（画像判定方法２）
画像判定部３５・５２は、画像の複数の領域について、所定の範囲の階調である画素の割合を求めてもよい。
【００８９】
図１１の（ａ）に示す表示装置の例では、画面１１ｃの中央から下部にかけて画素の容量が均一でない領域１２が分布している。そこで、画像判定部は、複数の解析領域１３ａ、１３ｂを設定する。画素の容量が均一でない領域１２のうち画面１１ｃの中央部は、解析領域１３ａに含まれる。画素の容量が均一でない領域１２のうち画面１１ｃの下部は、解析領域１３ｂに含まれる。
【００９０】
画像判定部は、複数の解析領域１３ａ、１３ｂ毎に、第１範囲の階調（フリッカを視認させやすい階調）の画素の割合が第１閾値以上であるか否かを判定する。画像の解析領域１３ａ、１３ｂのいずれかの解析領域においてフリッカを視認させやすい特徴を有する（第１範囲の階調の画素の割合が第１閾値以上である）と判定された場合、少なくともフリッカを視認させやすい特徴を有すると判定された解析領域については、リフレッシュレートを変動させる。例えば、解析領域１３ａにおける第１範囲の階調の画素の割合が第１閾値以上である場合、駆動変更部３６・５３は、解析領域１３ａに対応する複数の走査信号線を含む画面１１ｃの領域１４ａについて、複数の期間毎に異なるリフレッシュレートで表示のリフレッシュを行うと決定する。
【００９１】
例えば、画面１１ｃの領域１４ａについては、対応する解析領域１３ａにおける複数の画素の階調に応じてリフレッシュレートが決定され、画面１１ｃの領域１４ｂについては、対応する解析領域１３ｂにおける複数の画素の階調に応じてリフレッシュレートが決定される。画面１１ｃのその他の領域については、静止画であれば常に低リフレッシュレート（１Ｈｚ）によって表示が行われる。なお、駆動変更部は、いずれかの解析領域でフリッカを視認させやすい特徴を有すると判定された場合、画像全体を複数の期間毎に異なるリフレッシュレートで表示してもよい。
【００９２】
図１１の（ｂ）に示すように、画像判定部は、画像（画面１１ｄ）全体を複数の解析領域１３ｃ〜１３ｈに区分し、解析領域毎に第１範囲の階調の画素の割合が第１閾値以上であるか否かを判定してもよい。この場合、画像判定部は、解析領域毎に、画素を分類するヒストグラムを生成する。解析領域１３ｃおよび解析領域１３ｄは、共通の走査信号線によって駆動される。そのため、解析領域１３ｃおよび解析領域１３ｄの少なくともいずれか一方においてフリッカが生じやすい（第１範囲の階調の画素の割合が第１閾値以上である）と判定された場合、駆動変更部は、解析領域１３ｃおよび解析領域１３ｄの両方に対応する画面１１ｄの領域を複数の期間毎に異なるリフレッシュレートで駆動すると決定する。
【００９３】
なお、複数の解析領域１３ｃ〜１３ｈ毎に、判定のための条件が異なっていてもよい。例えば、画像判定部は、解析領域１３ｅについては、第１範囲の階調の画素が第１閾値以上であるという条件を満たすか判定し、解析領域１３ｆについては、第１範囲と異なる第２範囲の階調の画素が第１閾値と異なる第２閾値以上であるという条件を満たすか判定してもよい。
【００９４】
複数の解析領域毎に判定を行うことによって、フリッカが視認されやすい画素が局所的に集まっている画像に対しても、適切にリフレッシュレートを変更して、フリッカの視認を防止することができる。また、フリッカが視認されにくい画像（または領域）に対しては、低リフレッシュレートで表示を行うことにより、消費電力を低減することができる。
【００９５】
（画像判定方法３）
画像の中に所定のパターンにマッチする領域があるかを判定することにより、その画像がフリッカが生じやすい領域を有するかを判定することもできる。
【００９６】
図１２の（ａ）は、所定のパターン１５を示す図である。パターン１５は、３行×６列の画素で構成される矩形のパターンである。「１」は対応する画素の階調が第１範囲（階調２０から８０の範囲）内であることを示し、「０」は対応する画素の階調が第１範囲ではないことを示す。すなわち、パターン１５は、第１範囲の階調である複数の画素が２次元的に集まって構成されるパターンである。
【００９７】
図１２の（ｂ）（ｃ）は、画像の各画素の階調を表す階調マップを示す図である。画像判定部は、画像の各画素の階調が第１範囲の階調であるか否かを判定し、階調マップ１６ａ、１６ｂを生成する。階調マップ１６ａ、１６ｂでは、画素の階調が第１範囲内であれば値を「１」とし、画素の階調が第１範囲でなければ値を「０」とする。
【００９８】
図１２の（ｃ）の階調マップ１６ｂのように、第１範囲の階調である画素が多く存在しても、第１範囲の階調である画素が粗に分散していれば、フリッカは視認されにくい。図１２の（ｂ）の階調マップ１６ａのように、第１範囲の階調である画素が密に分布している領域が局所的に存在すると、たとえ全体における第１範囲の階調である画素の割合は小さくても、フリッカが視認されやすい。すなわち、第１範囲の階調である画素が一定領域以上固まって存在すると、よりフリッカが視認されやすくなる。
【００９９】
画像判定部は、階調マップ１６ａ、１６ｂにおいて所定のパターン１５にマッチする領域が存在するか否かを判定する。駆動変更部は、画像がパターン１５にマッチする領域を有するか否かに応じて、リフレッシュレートを変更する。
【０１００】
ある画像の階調マップ１６ａは、パターン１５にマッチする領域１７を有する。そのため、階調マップ１６ａに対応する画像はフリッカを生じやすいので、駆動変更部は、該画像を複数の期間毎に異なるリフレッシュレートで表示することを決定する。別の画像の階調マップ１６ｂは、パターン１５にマッチする領域を有しない。そのため、階調マップ１６ｂに対応する画像はフリッカを生じにくいので、駆動変更部は、該画像を低リフレッシュレート（１Ｈｚ固定）で表示することを決定する。
【０１０１】
このように、画像が所定のパターン１５にマッチするか否かに応じてリフレッシュレートを決定することにより、局所的にフリッカが視認されやすい画像（図１２の（ｂ））を複数の期間毎に異なるリフレッシュレートで表示し、フリッカの視認を防止することができる。また、第１範囲の階調である画素が多く含まれるがフリッカが視認されにくい画像（図１２の（ｃ））を低リフレッシュレートで表示し、消費電力を低減することができる。
【０１０２】
なお、駆動変更部は、マッチする領域に対応する画像の一部の領域のみについて、変動するリフレッシュレートで表示を行うと決定してもよい。また、１００％の完全なマッチではなくとも、パターン１５に所定の割合（例えば８０％）以上マッチする領域が画像に存在すれば、駆動変更部は、該画像を変動するリフレッシュレートで表示すると決定してもよい。
【０１０３】
なお、上記の例では、画素の色に関係なくパターンマッチを行っているが、絵素毎にパターンマッチを行ってもよい。すなわち、画像判定部は、絵素の輝度Ｙが所定の範囲であるかを示す階調マップを生成し、複数の絵素で構成される所定のパターンが画像にマッチするか否かを判定してもよい。また、画像判定部は、１つの画像に対してＲＧＢの色毎に階調マップを生成し、各色の階調マップに対して所定のパターンがマッチするか否かを判定してもよい。
【０１０４】
（他の画像判定方法）
上述した画像判定方法の他にも、画像判定部は、画像の中に所定のパターン（例えばストライプ模様）が存在する場合に、該画像はフリッカを視認させやすい特徴を有すると判定してもよい。飽和階調の画素は時間経過による電位の変動が小さいため、飽和階調（最高階調または最低階調）の画素に中間階調の画素が隣接しているとフリッカが視認されやすくなる。画像がこのような所定のパターンを有する場合に、変動するリフレッシュレートによって表示を行い、フリッカの視認を防止することができる。
【０１０５】
〔実施形態６〕
本発明のさらに他の実施形態について、以下に説明する。なお、説明の便宜上、上述の実施形態にて説明した部材と同じ機能を有する部材については、同じ符号を付記し、その説明を省略する。本実施形態では、画像判定部、駆動変更部、および画像処理部が、ＣＯＧドライバである表示駆動部に設けられている。
【０１０６】
（表示装置３の構成）
図１３は、本実施形態の表示装置の構成を示すブロック図である。表示装置３は、表示部１０と、表示駆動部７０（制御装置）と、ホスト制御部６０とを備える。ホスト制御部６０の構成は、実施形態４と同様である。ホスト制御部６０は、表示の更新が必要な時のみ、更新される画像の表示データを表示駆動部７０に転送する。
【０１０７】
表示駆動部７０は、表示部１０のガラス基板にＣＯＧ実装された、ＣＯＧドライバであり、表示部１０の駆動を行う。表示駆動部７０は、画像判定部５２、駆動変更部５３、メモリ２１、ＴＧ２２、およびソースドライバ２３を備える。表示駆動部７０の各部の動作は、実施形態４と同様である。
【０１０８】
本実施形態では、リフレッシュレートの決定を、ＣＯＧドライバ（表示駆動部７０）で行う。これにより、ホスト制御部６０とは別の基板を設けることなく、ホスト制御部６０の負荷を減らすことができる。アクティブマトリクス基板に形成されるＣＯＧドライバは実装面積が制限されるため、本実施形態は、画像判定部５２および駆動変更部５３において簡単な判定処理のみを行う場合に適している。
【０１０９】
〔まとめ〕
本発明の態様１に係る制御装置（ホスト制御部３０、表示制御部５０、表示駆動部７０）は、表示装置（１、２、３）の制御装置であって、画像がフリッカを視認させやすい特徴を有する画像であるか否かを判定する画像判定部（３５、５２）と、上記画像判定部において上記画像がフリッカを視認させやすい特徴を有すると判定された場合、該画像を表示する表示期間のうちの第１期間および第２期間について、上記第１期間では第１リフレッシュレートで該画像の表示のリフレッシュを行い、上記第１期間に続く上記第２期間では上記第１リフレッシュレートとは異なる第２リフレッシュレートで該画像の表示のリフレッシュを行うことを決定するリフレッシュレート決定部（駆動変更部３６、５３）とを備える。
【０１１０】
上記の構成によれば、フリッカを視認させやすい特徴を有するフリッカ画像を表示する場合に人間の視覚特性に合わせてリフレッシュレートを変動させることができる。これにより、制御装置は、フリッカの視認の防止と消費電力の低減とを効率的に両立することができる。それゆえ、表示装置は、表示品位を高く保ちつつ消費電力を低減することができる。
【０１１１】
本発明の態様２に係る制御装置では、態様１において、上記第１期間は、上記表示期間における最初の期間であり、上記第２リフレッシュレートは、上記第１リフレッシュレートよりも高くてもよい。
【０１１２】
本発明の態様３に係る制御装置では、態様２における、上記リフレッシュレート決定部は、上記表示期間のうちの、上記第２期間に続く第３期間では上記第２リフレッシュレートよりも低い第３リフレッシュレートで上記画像の表示のリフレッシュすることを決定する構成であってもよい。
【０１１３】
本発明の態様４に係る制御装置では、態様２または３おいて、上記第１リフレッシュレートは、１５Ｈｚ以下であってもよい。
【０１１４】
本発明の態様５に係る制御装置では、態様２から４において、上記画像判定部において上記画像がフリッカを視認させやすい特徴を有しないと判定された場合、上記リフレッシュレート決定部は、上記第２リフレッシュレートよりも低い第４リフレッシュレートで該画像の表示のリフレッシュを行うことを決定する構成であってもよい。
【０１１５】
本発明の態様６に係る制御装置では、態様１において、上記第１期間は、上記表示期間における最初の期間であり、上記第２リフレッシュレートは、上記第１リフレッシュレートよりも低くてもよい。
【０１１６】
本発明の態様７に係る制御装置では、態様６における、上記リフレッシュレート決定部は、上記表示期間のうちの、上記第２期間に続く第３期間では上記第２リフレッシュレートよりも高い第３リフレッシュレートで上記画像の表示のリフレッシュを行うことを決定する構成であってもよい。
【０１１７】
本発明の態様８に係る制御装置では、態様６または７における、上記第１リフレッシュレートは、１５Ｈｚよりも高くてもよい。
【０１１８】
本発明の態様９に係る制御装置では、態様６から８において、上記画像判定部において上記画像がフリッカを視認させやすい特徴を有しないと判定された場合、上記リフレッシュレート決定部は、上記第１リフレッシュレートよりも低い第４リフレッシュレートで該画像の表示のリフレッシュを行うことを決定する構成であってもよい。
【０１１９】
本発明の態様１０に係る制御装置では、態様１から９における、上記画像判定部は、上記画像の所定の領域における、中間階調の範囲内において上記フリッカを視認させやすい階調として予め定められた範囲内の階調である画素の割合が閾値以上であるか否かに応じて、上記画像がフリッカを視認させやすい特徴を有するか否かを判定する構成であってもよい。
【０１２０】
本発明の態様１１に係る表示装置は、態様１から１０のいずれかの制御装置を備える。
【０１２１】
本発明の態様１２に係る制御方法は、表示装置の制御方法であって、画像がフリッカを視認させやすい特徴を有する画像であるか否かを判定する画像判定ステップと、上記画像判定ステップにて上記画像がフリッカを視認させやすい特徴を有すると判定された場合、該画像を表示する表示期間のうちの第１期間および第２期間について、上記第１期間では第１リフレッシュレートで該画像の表示のリフレッシュを行い、上記第１期間に続く上記第２期間では上記第１リフレッシュレートとは異なる第２リフレッシュレートで該画像の表示のリフレッシュを行うことを決定するリフレッシュレート決定ステップとを含む。
【０１２２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１２３】
本発明は、表示装置に利用することができる。
【符号の説明】
【０１２４】
１・２・３    表示装置
１０    表示部
２０・４０・７０    表示駆動部（制御装置）
３０・６０    ホスト制御部（制御装置）
３５・５２    画像判定部
３６・５３    駆動変更部（リフレッシュレート決定部）
５０    表示制御部（制御装置）
Ｐ１    第１期間
Ｐ２    第２期間
Ｐ３    第３期間
【図１】
2014211537.tif 000003
【図２】
2014211537.tif 000004
【図３】
2014211537.tif 000005
【図４】
2014211537.tif 000006
【図５】
2014211537.tif 000007
【図６】
2014211537.tif 000008
【図７】
2014211537.tif 000009
【図８】
2014211537.tif 000010
【図９】
2014211537.tif 000011
【図１０】
2014211537.tif 000012
【図１１】
2014211537.tif 000013
【図１２】
2014211537.tif 000014
【図１３】
2014211537.tif 000015